(57)【特許請求の範囲】
【請求項１】
第１端末と、第２端末と、位置情報発信装置と、会議支援装置とがネットワークを介して接続され、第２端末に対し資料データを配信する会議支援システムであって、
位置情報発信装置は、
自装置の位置情報を送信する送信手段を有し、
会議支援装置は、
位置情報発信装置から、前記位置情報を受信する第１受信手段と、
前記位置情報から、全体領域を決定する全体領域決定手段と、
第１端末に、前記全体領域を送信する送信手段と、
第１端末から、前記全体領域を分割する分割情報を受信する第２受信手段と、
前記分割情報に基づいて、前記全体領域を複数の分割領域に分割する領域分割手段と、
第２端末から、端末位置情報を受信する第３受信手段と、
第２端末から受信した前記端末位置情報に基づいて、前記複数の分割領域のうち、該第２端末の属する分割領域を判定する領域判定手段と、
第２端末の属する分割領域に対応付けられた資料データを、該第２端末に配信する配信手段とを有し、
第１端末は、
会議支援装置から、前記全体領域を受信する第１受信手段と、
前記全体領域を分割する分割情報を入力する第１入力手段と、
会議支援装置に、前記分割情報を送信する第１送信手段とを有し、
第２端末は、
自装置の端末位置情報を送信する送信手段を、
有することを特徴とする会議支援システム。
【請求項２】
第１端末は、
前記全体領域を表示する表示手段を有し、
前記第１入力手段は、前記表示手段に表示された全体領域上に、該全体領域を分割する分割線が入力されると、該分割線に基づく分割情報を入力すること、
を特徴とする請求項１記載の会議支援システム。
【請求項３】
会議支援装置は、
前記全体領域のレイアウト図を記憶した記憶手段を有し、
前記送信手段は、前記全体領域とともにレイアウト図を送信し、
第１端末は、
前記第１受信手段は、前記全体領域とともに前記レイアウト図を受信し、
前記表示手段は、前記レイアウト図を重畳して前記全体領域を表示すること、
を特徴とする請求項２記載の会議支援システム。
【請求項４】
会議支援装置は、
少なくとも２以上の資料データを記憶した記憶手段を有し、
第１端末は、
会議支援装置から、前記複数の分割領域に関する情報と、前記少なくとも２以上の資料データに関する情報とを受信する第２受信手段と、
前記分割領域に関する情報と、前記資料データに関する情報との対応付け情報を入力する第２入力手段と、
会議支援装置に、前記対応付け情報を送信する第２送信手段と、
を有することを特徴とする請求項１記載の会議支援システム。
【請求項５】
第１端末は、
前記分割領域に関する情報と、前記資料データに関する情報とを表示する表示手段と、を有し、
前記第２入力手段は、前記表示手段に表示された分割領域に関する情報が選択されるとともに、該分割領域に関する情報と対応付ける前記資料データに関する情報が選択されると、該分割領域に関する情報と、該資料データに関する情報との対応付け情報を入力すること、
を特徴とする請求項４記載の会議支援システム。
【請求項６】
第１端末と、第２端末と、位置情報発信装置と、ネットワークを介して接続され、第２端末に対し資料データを配信する会議支援装置であって、
位置情報発信装置から、位置情報発信装置の位置情報を受信する第１受信手段と、
前記位置情報から、全体領域を決定する全体領域決定手段と、
第１端末に、前記全体領域を送信する送信手段と、
第１端末から、前記全体領域を分割する分割情報を受信する第２受信手段と、
前記分割情報に基づいて、前記全体領域を複数の分割領域に分割する領域分割手段と、
第２端末から、端末位置情報を受信する第３受信手段と、
第２端末から受信した前記端末位置情報に基づいて、前記複数の分割領域のうち、該第２端末の属する分割領域を判定する領域判定手段と、
第２端末の属する分割領域に対応付けられた資料データを、該第２端末に配信する配信手段と、
を有することを特徴とする会議支援装置。
【請求項７】
第１端末と、第２端末と、位置情報発信装置と、ネットワークを介して接続され、第２端末に対し資料データを配信する会議支援装置における資料配信方法あって、
会議支援装置は、
位置情報発信装置から、位置情報発信装置の位置情報を受信する第１受信手順と、
前記位置情報から、全体領域を決定する全体領域決定手順と、
第１端末に、前記全体領域を送信する送信手順と、
第１端末から、前記全体領域を分割する分割情報を受信する第２受信手順と、
前記分割情報に基づいて、前記全体領域を複数の分割領域に分割する領域分割手順と、
第２端末から、端末位置情報を受信する第３受信手順と、
第２端末から受信した前記端末位置情報に基づいて、前記複数の分割領域のうち、該第２端末の属する分割領域を判定する領域判定手順と、
第２端末の属する分割領域に対応付けられた資料データを、該第２端末に配信する配信手順と、
を実行することを特徴とする資料配信方法。
【請求項８】
請求項７記載の資料配信方法をコンピュータに実行させるためのプログラム。
【発明の詳細な説明】
【技術分野】
【０００１】
本発明は、会議支援システム、資料配信方法及びプログラムに関する。
【背景技術】
【０００２】
従来、発表者が参加者に対しプレゼンテーション（以下単にプレゼンという）を行う会議などの場において、発表者はプレゼンの内容を聞く参加者に対して、その内容を理解しやすいようにプレゼンテーション資料（プレゼン資料という）を用意し、その場で各参加者に配布したり、参加者の端末に配信・表示するなどしている。特に近年では、端末が広く普及しているため、プレゼン資料は、参加者の端末にデジタル・データのままで配信されることも多い。
【０００３】
ここでプレゼンによっては、プレゼン資料が参加者によって分れている場合がある。例えば、公聴会議の場で参加者が討議者と傍聴者とに分れている場合、討議者と傍聴者に配布されるプレゼン資料はそれぞれ異なりうる。また、社内外会議の場でも、役員と一般社員又は来賓と社員とで配布されるプレゼン資料はそれぞれ異なりうる。また例えば、国際会議の場では各国の参加者ごとに、それぞれ各国語訳のプレゼン資料が配布されうる。
【０００４】
このとき会議システム（プレゼンテーションシステム）側においては、参加者登録後、参加者とプレゼン資料セットの対応を予め設定しておき、参加者毎にそれぞれ異なる資料を配布する技術が知られている。
【０００５】
これに関する技術として、特許文献１には、会議システムにおいて、容易に参加者に資料を共有させるという目的で、資料記憶装置と、資料セットを１種類以上設定する資料セット設定手段と、ユーザにどの資料セットを配布するか設定する配布設定手段と、資料セットを配布する送信手段をもつ情報処理システムが開示されている。
【発明の概要】
【発明が解決しようとする課題】
【０００６】
しかしながら、従来の会議システムにおいては、参加者に応じてそれぞれ異なるプレゼン資料を配布するためには、予め参加者登録を行い、参加者とプレゼン資料セットとの対応関係を設定しておく必要がある。そのため登録・設定自体に手間がかかるという問題があり、また未登録・未設定者（飛び入り等の予定外の参加者）へ配布する場合に対応できないという問題があった。なお仮に、「その他」（others）のようなユーザグループを設け、未登録・未設定の参加者は「その他」に分類すれば、予定外の参加者に対してもプレゼン資料を配布できるが、あくまで「その他」用のプレゼン資料であり、来賓、役員等の特別なプレゼン資料を配布すべき参加者が飛び入りした場合には、依然として対応は困難である。
【０００７】
本発明では上記のような問題に鑑みて、参加者に応じてそれぞれ異なる資料を配信する際、参加者登録作業及び参加者と資料の対応関係の設定作業を省きながら、参加者に対し適切な資料を配信する会議支援システム、資料配信方法及びプログラムを提供することを目的とする。
【課題を解決するための手段】
【０００８】
上記の目的を達成するために、本発明に係る会議支援システムは、第１端末と、第２端末と、位置情報発信装置と、会議支援装置とがネットワークを介して接続され、第２端末に対し資料データを配信する会議支援システムであって、位置情報発信装置は、自装置の位置情報を送信する送信手段を有し、会議支援装置は、位置情報発信装置から、前記位置情報を受信する第１受信手段と、前記位置情報から、全体領域を決定する全体領域決定手段と、第１端末に、前記全体領域を送信する送信手段と、第１端末から、前記全体領域を分割する分割情報を受信する第２受信手段と、前記分割情報に基づいて、前記全体領域を複数の分割領域に分割する領域分割手段と、第２端末から、端末位置情報を受信する第３受信手段と、第２端末から受信した前記端末位置情報に基づいて、前記複数の分割領域のうち、該第２端末の属する分割領域を判定する領域判定手段と、第２端末の属する分割領域に対応付けられた資料データを、該第２端末に配信する配信手段とを有し、第１端末は、会議支援装置から、前記全体領域を受信する第１受信手段と、前記全体領域を分割する分割情報を入力する第１入力手段と、会議支援装置に、前記分割情報を送信する第１送信手段とを有し、第２端末は、自装置の端末位置情報を送信する送信手段を有する。
【０００９】
また、上記の目的を達成するために、本発明に係る会議支援装置は、第１端末と、第２端末と、位置情報発信装置と、ネットワークを介して接続され、第２端末に対し資料データを配信する会議支援装置であって、位置情報発信装置から、位置情報発信装置の位置情報を受信する第１受信手段と、前記位置情報から、全体領域を決定する全体領域決定手段と、第１端末に、前記全体領域を送信する送信手段と、第１端末から、前記全体領域を分割する分割情報を受信する第２受信手段と、前記分割情報に基づいて、前記全体領域を複数の分割領域に分割する領域分割手段と、第２端末から、端末位置情報を受信する第３受信手段と、第２端末から受信した前記端末位置情報に基づいて、前記複数の分割領域のうち、該第２端末の属する分割領域を判定する領域判定手段と、第２端末の属する分割領域に対応付けられた資料データを、該第２端末に配信する配信手段とを有する。
【００１０】
また、上記の目的を達成するために、本発明に係る資料配信方法は、第１端末と、第２端末と、位置情報発信装置と、ネットワークを介して接続され、第２端末に対し資料データを配信する会議支援装置における資料配信方法あって、会議支援装置は、位置情報発信装置から、位置情報発信装置の位置情報を受信する第１受信手順と、前記位置情報から、全体領域を決定する全体領域決定手順と、第１端末に、前記全体領域を送信する送信手順と、第１端末から、前記全体領域を分割する分割情報を受信する第２受信手順と、前記分割情報に基づいて、前記全体領域を複数の分割領域に分割する領域分割手順と、第２端末から、端末位置情報を受信する第３受信手順と、第２端末から受信した前記端末位置情報に基づいて、前記複数の分割領域のうち、該第２端末の属する分割領域を判定する領域判定手順と、第２端末の属する分割領域に対応付けられた資料データを、該第２端末に配信する配信手順とを有する。
【００１１】
また、上記の目的を達成するために、本発明に係る資料配信方法は、資料配信方法をコンピュータに実行させるためのプログラムである。
【００１２】
なお、本発明の構成要素、表現または構成要素の任意の組合せを、方法、装置、システム、コンピュータプログラム、記録媒体、などに適用したものも本発明の態様として有効である。
【発明の効果】
【００１３】
本発明の実施形態によれば、参加者に応じてそれぞれ異なる資料を配信する際、参加者登録作業及び参加者と資料の対応関係の設定作業を省きながら、参加者に対し適切な資料を配信する会議支援システム、資料配信方法及びプログラムを提供することができる。
【図面の簡単な説明】
【００１４】
【図１】本実施形態に係る会議支援システム１００のネットワーク概略構成図を示す。
【図２】本実施形態に係る会議支援サーバ１の主要構成を示すハードウェア構成図である。
【図３】本実施形態に係る各装置の機能ブロック図の一例を示す。
【図４】全体領域情報１１ａの決定例を示す。
【図５】全体領域情報１１ａの一例を示す。
【図６】全体領域情報１１ａの決定例（変形例）を示す。
【図７】分割領域情報１１ｂの取得例を示す。
【図８】分割領域情報１１ｂ例を示す。
【図９】プレゼン資料データ１１ｃの対応付け例を示す。
【図１０】本実施形態に係る領域分割を説明するシーケンス図である。
【図１１】本実施形態に係る分割操作の一例を示す。
【図１２】本実施形態に係る対応付け操作の一例（その１）を示す。
【図１３】本実施形態に係る対応付け操作の一例（その２）を示す。
【図１４】本実施形態に係る資料データ配信を説明するシーケンス図である。
【図１５】参加者の着席位置の一例を示す図である。
【図１６】本実施形態に係る表示端末４の表示画面例を示す。
【図１７】本変形例に係る全体領域情報１１ａの決定例を示す。
【図１８】本変形例に係る全体領域情報１１ａの一例を示す。
【図１９】本変形例に係る領域分割の変形例（その１）を示す。
【図２０】本変形例に係る分割領域情報１１ｂ及びプレゼン資料データ１１ｃの対応付け例を示す。
【図２１】本変形例に係る領域分割の変形例（その２）を示す。
【図２２】本変形例に係る分割領域情報１１ｂ及びプレゼン資料データ１１ｃの対応付け例を示す。
【図２３】本変形例に係る領域分割の変形例（その３）を示す。
【図２４】本変形例に係る分割領域情報１１ｂ及びプレゼン資料データ１１ｃの対応付け例を示す。
【図２５】本変形例に係る領域分割の変形例（その４）を示す。
【発明を実施するための形態】
【００１５】
以下、本発明を実施するための形態について図面を参照して説明する。以下本発明を会議支援システム（プレゼンテーションシステムともいう）に適用した例を示す。
【００１６】
[概要]
従来の会議支援システムにおいては、参加者に応じてそれぞれ異なるプレゼン資料を配布する際、参加者をそのプロフィールとともに登録し、参加者のプロフィールに応じてプレゼン資料の配信を振り分けていた。
【００１７】
一方、本発明者は、参加者の着席する場所（位置）に着眼した。そもそも参加者に応じてプレゼン資料を振り分けるからには、その参加者には何らかの立場、役割、地位等のプロフィールの相違が存在する。仮に存在しなければ、一律のプレゼン資料でよい。そのため、会議の場では、参加者のプロフィールに応じてその参加者が着席する場所（位置）もまた分けられている場合が多い。特に大会議であるほど、会議開催者側は、円滑に会議を開催させる必要があるため、その傾向は著しい。例えば、会議開催者側は、来賓席と一般席というように、参加者のプロフィール等に応じて参加者が着席する場所（位置）を整理し割り当てている。
【００１８】
そこで、本発明においては、プレゼンテーションの場を着席する場所に応じて複数のエリア（領域）に分割し、エリア毎の参加者の端末にどのようなプレゼン資料を配信するかを決定する。即ち、参加者が着席した時点で、本会議支援システムが参加者の端末から位置情報を取得し、着席したエリアを確認したうえで配信するプレゼン資料を決定する。
【００１９】
このため、事前の参加者の登録作業及び参加者と資料の対応関係の設定作業は不要であり、またそのため予定外の参加者が飛び入りで参加し着席しても、その参加者に対し適切なプレゼン資料を配信することが可能となる。以下、詳しく説明する。
【００２０】
[システム構成]
（ネットワーク構成）
図１は、本実施形態に係る会議支援システム１００のネットワーク概略構成図を示す。本実施形態に係る会議支援システム１００は、会議支援サーバ１、位置情報発信装置２、位置情報受信装置３、表示端末４、設定端末５が、ネットワーク６を介し接続され構成される。
【００２１】
会議支援サーバ１は、参加者の表示端末４に対し、プレゼン資料を配信するサーバである。プレゼン資料配信のタイミングは、表示端末４を持参の参加者が会場での着席時以降である。表示端末４が予め席ごと設置されている場合には設置時以降となる。また、プレゼン資料はプレゼン開始前に１度で配信してもよいし、プレゼンの進行に沿って１ページずつすることも配信できる（スライド方式）。具体的な配信方法は後述する。
【００２２】
位置情報発信装置２は、例えば、２台以上設置され、会議場の会場全体の位置情報を取得するために用いられる。会議開催者は、会場全体の位置情報を取得するため、会議前に予め位置情報発信装置２を設置しておく。それぞれの位置情報発信装置２は、自装置の位置情報を位置情報受信装置３に発信する。会議支援サーバ１は、位置情報受信装置３を介し、複数の位置情報発信装置２からその位置情報を受信し、受信した位置情報に基づいて、会議場の会場全体の位置情報を把握する。
【００２３】
位置情報受信装置３は、位置情報発信装置２及び表示端末４から、その位置情報（例えば、座標情報）を受信する。そしてまた、受信した位置情報を会議支援サーバ１に転送する。なお、位置情報受信装置３は、会議支援サーバ１に直接接続することもでき、この場合には、会議支援サーバ１が位置情報受信装置３を兼ねる。なおまた、位置情報受信装置３は、位置情報発信装置２と異なり、必ずしも会場内に設置される必要はない。
【００２４】
表示端末４は、参加者がプレゼン資料を閲覧する資料閲覧用のコンピュータ端末である。参加者着席後、表示端末４は、自装置の位置情報（例えば座標情報）を位置情報受信装置３に送信し、その後、プレゼン資料を会議支援サーバ１から受信する。なお、表示端末４は、参加者所有の端末でもよいし、開催者側が用意する場合には予め各席に設置される。本実施形態においては、参加者が表示端末４を持参するものとする。
【００２５】
設定端末５は、開催者が会場領域を分割設定するために用いられる設定用のコンピュータ端末である。設定端末５は、設定操作の便宜上、表示画面でタッチ操作を行えるタブレット型端末であるとよい。具体的な使用方法は後述する。
【００２６】
ネットワーク６は、有線及び無線を含む通信ネットワークである。但し、位置情報発信装置２と位置情報受信装置３との通信は、配線都合の観点から無線（例えば無線ＬＡＮ）が望ましい。また会議支援サーバ１と表示端末４との通信も配線上の観点から無線が望ましい。
【００２７】
（ハードウェア）
ここで、本実施形態に係る会議支援サーバ１のハードウェア構成について説明しておく。図２は、本実施形態に係る会議支援サーバ１の主要構成を示すハードウェア構成図である。会議支援サーバ１は、主要な構成として、ＣＰＵ１０１、ＲＯＭ（Read Only Memory）１０２、ＲＡＭ（Random Access Memory）１０３、補助記憶装置１０４、記憶媒体読取装置１０５、入力装置１０６、表示装置１０７、及び通信装置１０８を含む構成である。
【００２８】
ＣＰＵ１０１は、マイクロプロセッサ及びその周辺回路から構成され、装置全体を制御する回路である。また、ＲＯＭ１０２は、ＣＰＵ１０１で実行される所定の制御プログラム（ソフトウェア部品）を格納するメモリであり、ＲＡＭ１０３は、ＣＰＵ１０１がＲＯＭ１０２に格納された所定の制御プログラム（ソフトウェア部品）を実行して各種の制御を行うときの作業エリア（ワーク領域）として使用するメモリである。
【００２９】
補助記憶装置１０４は、汎用のＯＳ（Operating System）、各種プログラムを含む各種情報を格納する装置であり、不揮発性の記憶装置であるＨＤＤ（Hard Disk Drive）などが用いられる。
【００３０】
入力装置１０６は、ユーザが各種入力操作を行うための装置である。入力装置１０６は、マウス、キーボード、表示装置１０７の表示画面上に重畳するように設けられたタッチパネルスイッチなどを含む。表示装置１０７は、各種データを表示画面に表示する装置である。例えば、ＬＣＤ(Liquid Crystal Display)、ＣＲＴ(Cathode Ray Tube)などから構成される。
【００３１】
通信装置１０８は、ネットワーク６０を介して他の機器との通信を行う装置である。有線ネットワークや無線ネットワークなど含む各種ネットワーク形態に応じた通信をサポートする。
【００３２】
なお、表示端末４及び設定端末５は、少なくとも会議支援サーバ１と通信を行う通信装置（無線ＬＡＮカード等）、位置情報を送受信する通信装置（アンテナ等）、及び表示装置を備える。また、位置情報発信装置２及び位置情報受信装置３は、位置情報を送受信する通信装置（アンテナ等）を備える。このとき自装置の位置情報の把握にＧＰＳ（Global Positioning System）を用いる場合、位置情報発信装置２や表示端末４は衛星からＧＰＳ位置情報を受信できる受信装置を備える。
【００３３】
（機能）
次に、本実施形態に係る会議支援システム１００の主要機能構成について説明する。図３は、本実施形態に係る各装置の機能ブロック図の一例を示す。
【００３４】
なお、上述したように、位置情報受信装置３は、位置情報発信装置２及び表示端末４から、その位置情報（例えば、座標情報）を受信し、受信した位置情報を会議支援サーバ１に転送する、いわば中継装置である。よってここでの図示は省略してある。
【００３５】
・位置情報発信装置２
位置情報送信部２１は、位置情報受信装置３を介し、会議支援サーバ１に、自装置の位置情報（例えば、座標情報）を送信する。会議支援サーバ１は、この位置情報を元に、会場全体の位置情報を把握する。
・ 設定端末５
表示部５１は、会議支援サーバ１から、会場の全体領域を表す全体領域情報を受信し、全体領域を表示する。これにより、開催者は、会場全体の構図を認識できる。
【００３６】
入力部５２は、表示画面上からタッチ操作等により、会場全体を分割するための分割情報（例えば、分割線）を受付けて入力する。
【００３７】
分割情報送信部５３は、会議支援サーバ１に入力された分割情報を送信する。
【００３８】
・表示端末４
位置情報送信部４１は、自装置の位置情報を端末位置情報（例えば、座標情報）として送信する。表示端末４は、参加者の保有する端末でもあるため、この位置情報は、参加者の位置情報でもある。
【００３９】
表示部４２は、会議支援サーバ１から配信された資料データを表示する。資料データはプレゼン資料であるので、参加者はこの資料を閲覧しながら会議に参加することになる。
【００４０】
・会議支援サーバ１
記憶部１１は、会議会場の全体領域を表す全体領域情報１１ａ、全体領域を分割した分割領域を表す分割領域情報１１ｂ、参加者の表示端末４に配信するための資料データ１１ｃを記憶する。全体領域情報１１ａ、分割領域情報１１ｂについては、会議支援システム１００により会議毎に作成され、記憶部１１に記憶される。資料データ１１ｃについては、開催者が会議に先立って予め記憶しておく。
【００４１】
送受信部１２は、外部装置とのデータ送受信を行う。
【００４２】
全体領域決定部１３は、位置情報発信装置２の位置情報から、会場の全体領域を決定する。例えば、会場の全体領域が矩形の場合、少なくとも２以上の位置情報発信装置２からの位置情報に基づいて、会場の全体領域を決定することができる。また、全体領域決定部１３は、決定した全体領域を、記憶部１１の全体領域情報１１ａとして記憶する。
【００４３】
領域分割部１４は、設定端末５から受信した分割情報に基づいて、会場の全体領域を複数の分割領域に分割する。これにより、会場の全体領域は、分割情報に基づく分割線で区切られて、例えば、Ａエリア、Ｂエリアといったように、少なくとも２以上の分割領域に分割される。また、領域分割部１４は、この全体領域を、記憶部１１の分割領域情報１１ｂとして記憶する。
【００４４】
領域判定部１５は、表示端末４から受信した端末位置情報に基づき、分割された複数の分割領域のうち、表示端末４の属する分割領域を判定する。より具体的に、例えば、表示端末４が、Ａエリア又はＢエリアのいずれに位置するかを判定する。
【００４５】
資料配信部１６は、領域判定部１５により判定された表示端末４の属する分割領域に対応付けられた資料データ１１ｃを記憶部１１から取得し、その資料データ１１ｃをその表示端末４に配信する。例えば、表示端末４がＡエリアに位置する場合には、Ａエリアに対応付けられている資料データ１１ｃ（Ａエリア用の資料データ）を、その表示端末４に配信する。また、表示端末４がＢエリアに位置する場合には、Ｂエリアに対応付けられている資料データ１１ｃ（Ｂエリア用の資料データ）をその表示端末４に配信する。つまり、表示端末４の会場内の位置エリアに応じ、配信対象の資料データは異なってくる。
【００４６】
以上、これらの機能は、実際には各装置ＣＰＵが実行するプログラムによりコンピュータに実現させるものである。なおまた、本実施形態においてはあくまで一構成例であり、各機能部を外部装置や他のサーバに実装することも可能である。例えば、会議支援サーバ１の記憶部１１は別サーバ（例えばファイルサーバ）により構築することもできる。
【００４７】
（全体領域情報１１ａ）
会議支援サーバ１の有する記憶部１１の全体領域情報１１ａについて説明する。
【００４８】
図４は、全体領域情報１１ａの決定例を示す。上述したように、全体領域情報１１は、会場の全体領域を表し、全体領域決定部１３により、位置情報発信装置２の位置情報に基づいて決定される。
【００４９】
会議会場が例えば矩形の場合、開催者は、会場矩形の対角線上に、位置情報発信装置２ａ及び位置情報発信装置２ｂを設置する。２つの位置情報発信装置２は、自装置の位置情報を取得する。そして、この位置情報は、会議支援サーバ１に送信される。
【００５０】
位置情報発信装置２は、例えば、位置情報として、ＧＰＳを利用する場合、会場矩形の隅からそれぞれＧＰＳの位置座標を計測・取得する。ここでは、（北緯x0.東経y0）、（北緯x1.東経y1）という２点の位置座標が計測されたものとする。そして、計測された位置座標は、会議支援サーバ１に入力される。
【００５１】
会議支援サーバ１は、図に示されるように、入力された２点の位置座標を元に、会場の全体領域を決定する。ここでは、会場の全体領域が矩形であるため、少なくとも２以上の位置情報発信装置２からの位置情報に基づいて、会場の全体領域を決定することができる。具体的には、（北緯x0.東経y0）、（北緯x0.東経y1）、（北緯x1.東経y0）、（北緯x1.東経y1）という４点の位置座標で形成される領域を、会場の全体領域と決定できる。
【００５２】
なお、全体領域は、仮想の位置座標へ変換する。例えば以下の通りである。
（北緯x0.東経y0）→（0.0）
（北緯x0.東経y1）→（100.0）
（北緯x1.東経y0）→（0.80）
（北緯x1.東経y1）→（100.80）
また、ここで決定された全体領域は、記憶部１１の全体領域情報１１ａとして記憶しておく。
【００５３】
図５は、全体領域情報１１ａの一例を示す。本実施形態において、会場は矩形形状とするので、始点及び終点の位置座標を保持することにより、会場全体の全体領域情報とすることができる。
【００５４】
なお、仮想の位置座標へ変換したのは、便宜上の理由であって、いうまでもなく、ＧＰＳの位置座標そのものを全体領域情報として使用することも可能である。この場合、位置座標（始点）は（北緯x0.東経y0）、位置座標（終点）は（北緯x1.東経y1）というように、ＧＰＳの位置座標そのものを保持すればよい。
【００５５】
図６は、全体領域情報１１ａの決定例（変形例）を示す。会場によっては、その形状が必ずしも、矩形形状でない場合もある。例えば、円や楕円形状の場合には、図に示されるような点で、ＧＰＳの位置座標を計測・取得する。いずれにしても、会場内に参加者席が含まれるように、全体領域情報を取得すればよい。
【００５６】
（分割領域情報１１ｂ）
会議支援サーバ１の有する記憶部１１の分割領域情報１１ｂについて説明する。
【００５７】
図７は、分割領域情報１１ｂの取得例を示す。分割領域情報１１ｂは、会議毎に記憶部１１に記憶される。設定端末５から分割情報（例えば、分割線）が受信されると、会議支援サーバ１は、会場の全体領域を、その分割線で複数の分割領域に分割する。例えば、図に示されるように、分割情報（例えば、分割線）が、（北緯x0.3.東経y0）、（北緯x0.3.東経y0.8）であると、上述の要領で仮想の位置座標（30.0）、（30.80）へ変換してから、会場の全体領域を、位置座標（30.0）、（30.80）を通る垂直の分割線で分割する。ここではＡエリア、Ｂエリアに分割された。
【００５８】
図８は、分割領域情報１１ｂ例を示す。本実施形態において、会場は、矩形形状とするので、始点及び終点の位置座標を保持することにより、分割領域の位置情報とすることができる。ここでは、Ａエリア、Ｂエリアに分割されているため、エリア毎に、始点及び終点の位置座標が保持される。
【００５９】
（プレゼン資料データ１１ｃ）
会議支援サーバ１の有する記憶部１１のプレゼン資料データ１１ｃについて説明する。
【００６０】
図９は、プレゼン資料データ１１ｃの対応付け例を示す。記憶部１１は、プレゼン資料データ１１ｃのデータファイル自体を記憶するほか、分割領域とプレゼン資料データ１１ｃと対応付け関係を記憶する。開催者は、設定端末５での領域分割後に、プレゼン資料データ１１ｃのファイルと、分割された具体的な領域との対応付けの設定作業を行うことができる。この結果、対応付け情報として、会議支援サーバ１に送信され、プレゼン資料データ１１ｃの対応付けに反映される。
【００６１】
ここでは、Ａエリア、Ｂエリアに分割され、Ａエリアには、「xxx.ppt」、Ｂエリアには、「yyy.ppt」が対応付けられている。この対応付けに従って、各エリアに対し、対応付けられているプレゼン資料データ１１ｃが配信される。
【００６２】
[情報処理]
本実施形態に係る会議支援システム１００の情報処理につて説明する。領域分割ステップと、資料データ配信ステップとに分けて、以下説明する。
【００６３】
（領域分割ステップ）
図１０は、本実施形態に係る領域分割を説明するシーケンス図である。本ステップは、いわば会議開催の準備段階であって、参加者が会場に着席する前に実施される。また、前提として、位置情報発信装置２が会場に既に設置されている。また、プレゼン資料データ１１ｃは、記憶部１１に予め記憶されている。以下、図面を参照しながら説明する。
【００６４】
Ｓ１：位置情報発信装置２の位置情報送信部２１は、位置情報受信装置３に対し、自装置の位置情報（例えば、座標情報）を送信する。この位置情報は、会議支援サーバ１に転送される。
【００６５】
Ｓ２：会議支援サーバ１の全体領域決定部１３は、位置情報発信装置２から位置情報を受信すると、位置情報発信装置２の位置情報から、会場の全体領域を決定する。例えば、会場の全体領域が矩形の場合、少なくとも２以上の位置情報発信装置２からの位置情報に基づいて、会場の全体領域を決定する。
【００６６】
Ｓ３：全体領域決定部１３は、決定した全体領域を、記憶部１１に全体領域情報１１ａとして保存する（例えば、図５参照）。
【００６７】
Ｓ４：次に、開催者は、会場の全体領域に対する領域分割設定を行うため、設定端末５上、設定開始操作を行う。
【００６８】
Ｓ５：設定端末５の表示部５１は、設定開始操作により設定開始が入力されると、会議支援サーバ１に対し、会場の全体領域情報等（全体領域情報１１ａ、資料データの情報）の取得要求を送信する。
【００６９】
Ｓ６：全体領域決定部１３は、取得要求に応じて、設定端末５に対し、全体領域情報等（全体領域情報１１ａ、資料データの情報）を送信する。
【００７０】
Ｓ７：設定端末５の表示部５１は、全体領域情報等（全体領域情報１１ａ、資料データの情報）を受信し、このうち受信した全体領域情報１１ａを用いて、設定端末５の表示画面上、会場の全体領域を表示する。
【００７１】
Ｓ８：開催者は、設定端末５の表示画面上、会場の全体領域が表示されると、タッチ操作等により、会場の全体領域を分割する操作を行うことにより、分割情報を入力する。
【００７２】
図１１は、本実施形態に係る分割操作の一例を示す。設定端末５の表示画面上、会場の全体領域が表示され、開催者は、全体領域上、所望の１点（例えば、Ａ点）をタッチ操作する。すると、表示画面上、垂直（又は平行）の分割線が自動的に描かれる。またもしくは、開催者は、全体領域上、所望の連続点（例えば、Ａ点、Ｂ点）をなぞるようにタッチ操作する。すると、表示画面上、垂直の分割線が自動的に描かれる。また、全体領域上、所望の連続点（例えば、Ａ点、Ｃ点）をなぞるようにタッチ操作すると、表示画面上、平行な分割線が自動的に描かれる。開催者は、分割線が描かれることにより、全体領域の分割位置を決定した後、「次へ」を押下する。
【００７３】
Ｓ９：設定端末５の分割情報送信部５３は、設定端末５の表示画面上で「次へ」が押下されると、分割情報を会議支援サーバ１に送信する。ここで、分割情報は、入力された分割線を表現するものであればよく、分割線上の任意の２点、例えば、仮想の位置座標（30.0）、（30.80）で表現できる（例えば、図７参照）。また、仮想の位置座標（30.0）、「垂直」といった情報によっても表現しうる。
【００７４】
Ｓ１０：会議支援サーバ１の領域分割部１４は、受信した分割情報と、全体領域情報１１ａとに基づき、会場の全体領域を複数の分割領域に分割する。ここでは、受信した分割情報として、仮想の位置座標（30.0）、（30.80）を通る分割線で、全体領域を分割する。ここでは、例えば、図７のように、Ａエリア、Ｂエリアに分割される。
【００７５】
Ｓ１１：領域分割部１４は、Ｓ９の分割結果を、分割領域情報１１ｂとして記憶部１１に保存する。ここではＡエリア、Ｂエリアに分割されているため、分割領域情報１１ｂは、例えば、図８の通りである。
【００７６】
Ｓ１２：領域分割部１４は、Ｓ９の分割情報送信の応答として、全体領域の分割に成功した旨とともに、分割領域情報１１ｂを設定端末５に送信する。
【００７７】
Ｓ１３：設定端末５の表示部５１は、分割領域情報１１ｂを受信し、設定端末５の表示画面上、会場の全体領域において分割された分割領域を確定表示する。
【００７８】
Ｓ１４：次に、開催者は、設定端末５の表示画面上、会場の全体領域を分割すると、分割領域と資料データとの対応付け情報を入力する。
【００７９】
図１２は、本実施形態に係る対応付け操作の一例（その１）を示す。開催者は、設定端末５の表示画面上、１の分割領域（例えば、Ｂエリア）をタッチ操作する。すると、資料データ一覧が表示される。資料データ一覧は、Ｓ６で受信した資料データの情報（例えば、資料データのファイル名）に基づき表示され、資料データ一覧内の資料データは、記憶部１１に記憶されている資料データ一覧である。
【００８０】
開催者は、設定端末５の表示画面上、資料データ一覧の中から、１の分割領域（例えば、Ｂエリア）と対応付けたい資料データ（例えば、「yyy.ppt」）を選択する。
【００８１】
図１３は、本実施形態に係る対応付け操作の一例（その２）を示す。対応付け操作の結果、Ａエリアには、「xxx.ppt」、Ｂエリアには、「yyy.ppt」が対応付けられていることが示されている。なお、原則、全てのエリアに対し、それぞれ資料データを対応付けておく。
【００８２】
Ｓ１５：開催者が設定端末５の表示画面上、「ＯＫ」を押下すると、設定端末５の分割情報送信部５３は、対応付け情報を会議支援サーバ１に送信する。ここで、対応付け情報は、例えば、Ａエリア：「xxx.ppt」、Ｂエリア：「yyy.ppt」で表現できる。
【００８３】
Ｓ１６：会議支援サーバ１の領域分割部１４は、受信した対応付け情報に基づいて、分割された２エリア、つまりＡエリア、Ｂエリアそれぞれに対し、配信する資料データを対応付ける。この対応付け情報は、例えば、図９の通り反映され保存される。
【００８４】
（補足）
上述のＳ２、３などにおいて、会議支援サーバ１の全体領域決定部１３は、位置情報発信装置２の位置情報から、会場の全体領域を決定し、決定した全体領域を、記憶部１１に全体領域情報１１ａとして保存した（例えば、図５、１７参照）。
【００８５】
従って、一度、ファイル名等を付けて全体領域情報１１ａとして保存しておくと、次回、同一の会議会場で会議等を行う場合、過去に保存しておいた全体領域情報１１ａを再度利用することが可能である。この場合、開催者は、位置情報発信装置２を会場に設置する必要はなく、Ｓ１〜３を省略し、Ｓ４の全体領域の設定開始操作を行えばよい。
【００８６】
具体的に、開催者は、全体領域の設定を行う際、設定端末５上から、会議支援サーバ１の有する全体領域情報１１ａにアクセスし、保存されている全体領域情報１１ａのファイル名一覧の中から、１の全体領域情報１１ａを選択する（Ｓ４）。これにより、設定端末５の表示部５１は、会議支援サーバ１に対し、選択した全体領域情報等（選択した全体領域情報１１ａ、資料データの情報）の取得要求を送信する（Ｓ５）。会議支援サーバ１の全体領域決定部１３は、取得要求に応じて、設定端末５に対し、選択された全体領域情報等を送信する（Ｓ６）。
【００８７】
また、全体領域情報１１ａは、別途、会場のレイアウト図、見取り図などとマッピングして保存しておくことも可能である。この場合、設定端末５の表示画面上には、会場のレイアウト図（見取り図）相当の図面が表示される（Ｓ７）。例えば、レイアウト図には、会場内の演台、座席配置、通路などが描かれているため、開催者が、会場の全体領域を分割する際、より実際のレイアウトに即して、分割情報を入力できるため、一層の操作性向上が期待される。
【００８８】
（資料データ配信ステップ）
図１４は、本実施形態に係る資料データ配信を説明するシーケンス図である。本ステップは、参加者が会場に着席した以降に実施される。
【００８９】
図１５は、参加者の着席位置の一例を示す図である。会場内には案内板等により、来賓席と一般席が明確に案内されており、参加者のうち来賓者は、表示端末４ａを持参し、来賓席（例えば、Ａエリア）に着席し、一般参加者は、表示端末４ｂを持参し、一般席（例えば、Ｂエリアに着席する。以下、図面を参照しながら説明する。
【００９０】
Ｓ２１：参加者は、着席後、表示端末４を起動する。そして、例えば、ＤＨＣＰ等によりＩＰアドレスを取得するなどして無線の接続設定を完了させる。その後、所定の操作を行うことにより、表示端末４の位置情報送信部４１は、位置情報受信装置３に対し、自装置の位置情報である端末位置情報とＩＰアドレスとを、会議支援サーバ１に対し送信する。位置情報受信装置３は、表示端末４から受信した端末位置情報を、会議支援サーバ１に転送する。ここでは、表示端末４ａは、端末位置情報（北緯x0.2.東経y0.2）、表示端末４ｂは、端末位置情報（北緯x0.8.東経y0.2）を送信するものとする。
【００９１】
Ｓ２２：会議支援サーバ１の領域判定部１５は、受信した端末位置情報に基づき、分割された複数の分割領域のうち、表示端末４の属する分割領域を判定する。ここでは、受信した表示端末４ａの端末位置情報（北緯x0.2.東経y0.2）を仮想の端末位置座標（20.20）へ変換し、受信した表示端末４ｂの端末位置情報（北緯x0.3.東経y0.5）を仮想の端末位置座標（80.20）へ変換してから、表示端末４ａと表示端末４ｂの属する分割領域がＡエリアであるのか、Ｂエリアであるのかを判定する。表示端末４ａの端末位置座標は（20.20）であり、Ａエリアは（0.0）〜（30.80）であるため、表示端末４ａは、Ａエリアに包含される、つまりＡエリアに属すると判定する。同様に、表示端末４ｂは、Ｂエリアに属すると判定する。
【００９２】
Ｓ２３：の資料配信部１６は、分割領域とプレゼン資料データ１１ｃと対応付け関係（例えば、図９の）を参照し、表示端末４の属する分割領域に対応付けられた資料データ１１ｃを記憶部１１から取得する。ここでは、表示端末４ａはＡエリアに属すると判定されているので、Ａエリアに対応付けられているファイル「xxx.ppt」を取得する。同様に、表示端末４ｂはＢエリアに属すると判定されているので、Ｂエリアに対応付けられているファイル「yyy.ppt」を取得する。
【００９３】
Ｓ２４：資料配信部１６は、表示端末４に対し、資料データを配信する。具体的に、表示端末４ａに対しては、ファイル「xxx.ppt」を配信し、表示端末４ｂに対しては、ファイル「yyy.ppt」を配信する。
【００９４】
Ｓ２５：表示端末４の表示部４２は、受信した資料データを表示する。表示端末４ａに対してはファイル「xxx.ppt」が配信されているので、来賓者は、表示端末４で来賓用のファイル「xxx.ppt」を閲覧し、一般参加者は、表示端末４で一般用のファイル「yyy.ppt」を閲覧しながら、会議に参加する。
【００９５】
図１６は、本実施形態に係る表示端末４の表示画面例を示す。図に示されるように、エリアＡの来賓席の表示端末４ａには、英語版資料の「xxx.ppt」が配信・表示され、一方、エリアＢの一般席の端末４ｂには、日本語版資料の「yyy.ppt」が配信・表示される。
【００９６】
以上のように、本実施形態に係る会議支援システム１００において、開催者は、設定端末５を操作し、プレゼンテーションの場を着席する場所に応じて、会場の全体領域を複数のエリア（領域）に分割できる。また併せて、開催者は、設定端末５を操作し、エリア毎の参加者の表示端末４にどのようなプレゼン資料１１ｃを配信するかを決定する。そして、参加者が着席した時点で、本会議支援システム１００が参加者の表示端末４から端末位置情報を取得し、着席したエリアを確認したうえで配信するプレゼン資料１１ｃを決定する。このため、事前の参加者の登録作業及び参加者と資料の対応関係の設定作業は不要であり、また、そのため予定外の参加者が飛び入りで参加し着席しても、その参加者に対し適切なプレゼン資料を配信することができる。
【００９７】
[変形例１]
以下、会場の全体領域の変形例を説明する。
【００９８】
図１７は、本変形例に係る全体領域情報１１ａの決定例を示す。上述したように、全体領域情報１１は、会場の全体領域を表し、全体領域決定部１３により、位置情報発信装置２の位置情報に基づいて決定される。
【００９９】
上述の図４の例では、会場は矩形形状であったため、会場の全体領域を決定するにあたり、少なくとも２つの位置情報発信装置２が設置された。しかしながら、会場が矩形形状以外の場合などでは、会場形状に応じて、それ以上の位置情報発信装置２を設置する必要がある。
【０１００】
図１７に示される会場は、台形形状である。このため、会場の全体領域を決定するにあたり、４つの位置情報発信装置２が設置される。４つの位置情報発信装置２は、自装置の位置情報を取得する。そして、この位置情報は、会議支援サーバ１に送信される。
【０１０１】
会議支援サーバ１は、図に示されるように、入力された４点の位置座標を元に、会場の全体領域を決定する。ここでは、会場の全体領域が台形形状であるため、少なくとも４以上の位置情報発信装置２からの位置情報に基づいて、会場の全体領域を決定することができる。具体的には、（北緯x0.東経y0）、（北緯x1.東経y0）、（北緯x0.75.東経y0.8）、（北緯x0.25.東経y0.8）という４点の位置座標で形成される領域を、会場の全体領域と決定できる。
【０１０２】
なお、全体領域は、仮想の位置座標へ変換する。例えば以下の通りである。
（北緯x0.東経y0）→（0.0）
（北緯x1.東経y0）→（100.0）
（北緯x0.75.東経y0.8）→（75.80）
（北緯x0.25.東経y0.8）→（25.80）
また、ここで決定された全体領域は、記憶部１１の全体領域情報１１ａとして記憶しておく。
【０１０３】
図１８は、本変形例に係る全体領域情報１１ａの一例を示す。本実施形態において、会場は台形形状とするので、４つの位置座標を保持することにより、会場全体の全体領域情報とすることができる。
【０１０４】
[変形例２]
以下、領域分割の変形例を説明する。上述したように、開催者は、設定端末５の表示画面上、会場の全体領域が表示されると、タッチ操作等により、会場の全体領域を分割する操作を行うことにより、分割情報を入力する（例えば、Ｓ８、図１１参照）。また、開催者は、設定端末５の表示画面上、会場の全体領域を分割すると、次に、分割領域と資料データとの対応付け情報を入力する（例えば、Ｓ８、図１１参照）。以下、複数の領域分割例を示す。
【０１０５】
（例１）
図１９は、本変形例に係る領域分割の変形例（その１）を示す。開催者は、設定端末５の表示画面上、図の通り、会場の全体領域を３分割する操作を行う。ここでは、例えば、図のように、Ａエリア、Ｂエリア、Ｃエリアに分割される。
【０１０６】
このとき、入力される分割情報は、入力された２つの分割線を表現するものであればよく、例えば、仮想の位置座標（33.0）、（33.80）、及び（66.0）、（66.80）といった情報によって表現しうる。
【０１０７】
また、開催者は、設定端末５の表示画面上、会場の全体領域を３分割すると、次に、３つ分割領域と、資料データとの対応付け操作を行う。これにより、Ａエリアには、「xxx.ppt」、Ｂエリアには、「yyy.ppt」、Ｃエリアには、「zzz.ppt」が対応付けられていることが示されている。なお、Ａエリアには、「xxx.ppt」、Ｂエリア及びＣエリアには、「yyy.ppt」というように、異なるエリアに同一の資料データを対応付けることも可能である。
【０１０８】
図２０は、本変形例に係る分割領域情報１１ｂ及びプレゼン資料データ１１ｃの対応付け例を示す。上述の操作により、全体領域が３つのエリアに分割され、それぞれのエリアに各資料データが対応付けられている。
【０１０９】
（例２）
図２１は、本変形例に係る領域分割の変形例（その２）を示す。開催者は、設定端末５の表示画面上、図の通り、会場の全体領域を４分割する操作を行う。ここでは、例えば、図のように、Ａエリア、Ｂエリア、Ｃエリア、Ｄエリアに分割される。
【０１１０】
このとき、入力される分割情報は、入力された２つの分割線を表現するものであればよく、例えば、仮想の位置座標（50.0）、（50.80）、及び（0.40）、（100.40）といった情報によって表現しうる。
【０１１１】
また、開催者は、設定端末５の表示画面上、会場の全体領域を４分割すると、次に、４つ分割領域と、資料データとの対応付け操作を行う。これにより、Ａエリアには、「xxx.ppt」、Ｂエリアには、「yyy.ppt」、Ｃエリアには、「zzz.ppt」、Ｄエリアには、「rrr.ppt」が対応付けられていることが示されている。
【０１１２】
図２２は、本変形例に係る分割領域情報１１ｂ及びプレゼン資料データ１１ｃの対応付け例を示す。上述の操作により、全体領域が４つのエリアに分割され、それぞれのエリアに各資料データが対応付けられている。
【０１１３】
（例３）
図２３は、本変形例に係る領域分割の変形例（その３）を示す。開催者は、設定端末５の表示画面上、図の通り、会場の全体領域（図１７、１８に対応）を３分割する操作を行う。ここでは、例えば、図のように、Ａエリア、Ｂエリア、Ｃエリアに分割される。
【０１１４】
このとき、入力される分割情報は、入力された２つの分割線を表現するものであればよく、例えば、仮想の位置座標（50.0）、（50.80）、及び（50.40）、（88.40）といった情報によって表現しうる。
【０１１５】
また、開催者は、設定端末５の表示画面上、会場の全体領域を３分割すると、次に、３つ分割領域と、資料データとの対応付け操作を行う。これにより、Ａエリアには、「xxx.ppt」、Ｂエリアには、「yyy.ppt」、Ｃエリアには、「zzz.ppt」が対応付けられていることが示されている。
【０１１６】
図２４は、本変形例に係る分割領域情報１１ｂ及びプレゼン資料データ１１ｃの対応付け例を示す。上述の操作により、全体領域が３つのエリアに分割され、それぞれのエリアに各資料データが対応付けられている。
【０１１７】
（例４）
図２５は、本変形例に係る領域分割の変形例（その４）を示す。これまでの例では、開催者は、設定端末５の表示画面上、会場の全体領域が表示されると、タッチ操作等により、会場の全体領域を分割する操作を行うことにより、分割情報を入力するものであった。一方、本変形例では、会場の全体領域が分割線により分割された分割パターンが、予め設けられており、ユーザは、予め設けられている分割パターンの中から、１の分割パターンを選択することにより、会場の全体領域を分割できる。
【０１１８】
１の分割パターンが選択されると、選択された分割パターンの分割線に基づく入力情報が会議支援サーバ１に送信される。その後、開催者は、設定端末５の表示画面上、会場の全体領域を分割すると、分割領域と、資料データとの対応付け操作を行う。
【０１１９】
以上のように、開催者は、設定端末５の表示画面上から、会場の全体領域を様々なエリア数、大きさ、形状などで分割できる。特に、設定端末５がタブレット端末である場合、タッチ操作によって、自由に全体領域を分割できるため、より細かな領域分割を行うことが可能である。
【０１２０】
[総括]
以上、本実施形態によれば、参加者に応じてそれぞれ異なる資料を配信する際、参加者登録作業及び参加者と資料の対応関係の設定作業を省き、たとえ予定外の参加者が参加していても、その参加者に対し適切な資料を配信する会議支援システム、資料配信方法及びプログラム等を提供することが可能となる。
【０１２１】
各実施形態に基づき本発明の説明を行ってきたが、上記各実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。また、本発明の構成要素、表現または構成要素の任意の組合せを、方法、装置、システム、コンピュータプログラム、記録媒体、などに適用したものも本発明の態様として有効である。
【符号の説明】
【０１２２】
１          会議支援サーバ
２          位置情報発信装置
３          位置情報受信装置
４          表示端末
５          設定端末
６          ネットワーク
１１        記憶部
１２        送受信部
１３        全体領域決定部
１４        領域分割部
１５        領域判定部
１６        資料配信部
２１        位置情報送信部
４１        位置情報送信部
４２        表示部
５１        表示部
５２        入力部
５３        分割情報送信部
１００      会議支援システム
１０１      ＣＰＵ
１０２      ＲＯＭ
１０３      ＲＡＭ
１０４      補助記憶装置
１０５      記憶媒体読取装置
１０６      入力装置
１０７      表示装置
１０８      通信装置
【先行技術文献】
【特許文献】
【０１２３】
【特許文献１】特開２００５−２８４３４４号公報
【図１】
0005982994.tif 000002
【図２】
0005982994.tif 000003
【図３】
0005982994.tif 000004
【図４】
0005982994.tif 000005
【図５】
0005982994.tif 000006
【図６】
0005982994.tif 000007
【図７】
0005982994.tif 000008
【図８】
0005982994.tif 000009
【図９】
0005982994.tif 000010
【図１０】
0005982994.tif 000011
【図１１】
0005982994.tif 000012
【図１２】
0005982994.tif 000013
【図１３】
0005982994.tif 000014
【図１４】
0005982994.tif 000015
【図１５】
0005982994.tif 000016
【図１６】
0005982994.tif 000017
【図１７】
0005982994.tif 000018
【図１８】
0005982994.tif 000019
【図１９】
0005982994.tif 000020
【図２０】
0005982994.tif 000021
【図２１】
0005982994.tif 000022
【図２２】
0005982994.tif 000023
【図２３】
0005982994.tif 000024
【図２４】
0005982994.tif 000025
【図２５】
0005982994.tif 000026